【手続補正書】
【提出日】平成23年5月12日(2011.5.12)
【手続補正１】
【補正対象書類名】特許請求の範囲
【補正対象項目名】全文
【補正方法】変更
【補正の内容】
【特許請求の範囲】
【請求項１】
動画データを符号化してパケットを生成する生成手段と、
前記生成されたパケットを受信装置へ送信する送信手段と、
前記送信されたパケットのうち、前記受信装置が正常に受信しなかったパケットを前記受信装置からの通知に基づいて特定する特定手段と、
前記特定されたパケットに対応する第１の動画フレームよりも後の第２の動画フレームの動画データのうち、他の動画フレームを参照せずに復号可能な画面内符号化方式で符号化する動画データと、前記他の動画フレームを参照することで復号可能な予測符号化方式で符号化する動画データとを、前記特定されたパケットに応じて決定する決定手段とを有することを特徴とする送信装置。
【請求項２】
前記決定手段は、前記第２の動画フレームの動画データのうち、前記特定された前記第１の動画フレームのパケットの動画データの表示領域に隣接する隣接領域の動画データの符号化方式を、前記画面内符号化方式に限定することを特徴とする請求項１記載の送信装置。
【請求項３】
前記特定手段により特定されたパケットを再送信する再送手段を有し、
前記決定手段は、前記特定された前記第１の動画フレームのパケットを再送信する場合、前記第２の動画フレームの前記隣接領域の動画データの符号化方式を、前記画面内符号化方式に限定しないことを特徴とする請求項２記載の送信装置。
【請求項４】
パケットが前記送信手段により送信されてから前記受信装置で受信されるまでの所要時間に応じた時間情報を取得する取得手段を有し、
前記再送手段は、前記特定されたパケットを再送信するか否かを、前記取得された時間情報を用いて決定することを特徴とする請求項３記載の送信装置。
【請求項５】
前記決定手段は、前記第２の動画フレームと、前記第２の動画フレームの後の画面内符号化フレームとの間のフレーム数が閾値未満の場合、前記第２の動画フレームの前記隣接領域の動画データの符号化方式を、前記画面内符号化方式に限定しないことを特徴とする請求項２記載の送信装置。
【請求項６】
前記決定手段は、前記第１の動画フレームが、前記第１の動画フレームよりも前の動画フレームと後の動画フレームとを参照することで復号可能な双方向予測符号化フレームである場合、前記第２の動画フレームの前記隣接領域の動画データの符号化方式を、前記画面内符号化方式に限定しないことを特徴とする請求項２記載の送信装置。
【請求項７】
前記動画データの各動画フレームを前記画面内符号化方式で符号化した画面内符号化ファイルを記憶する記憶手段を有し、
前記送信手段は、前記決定手段により符号化方式が前記画面内符号化方式に限定された動画データを、前記記憶手段から読み出して送信することを特徴とする請求項２記載の送信装置。
【請求項８】
前記記憶手段は、各動画フレームを第１のビットレートで画面内符号化方式により符号化した第１の画面内符号化ファイルと、各動画フレームを前記第１のビットレートよりも高い第２のビットレートで画面内符号化方式により符号化した第２の画面内符号化ファイルとを記憶し、
前記送信手段は、前記第１及び第２の画面内符号化ファイルのうち、送信すべき動画データの読み出し先とする画面内符号化ファイルを、前記第１の動画フレームに対応するビットレートに基づいて決定することを特徴とする請求項７記載の送信装置。
【請求項９】
送信装置の制御方法であって、
動画データを符号化してパケットを生成する生成工程と、
前記生成されたパケットを受信装置へ送信する送信工程と、
前記送信されたパケットのうち、前記受信装置が正常に受信しなかったパケットを前記受信装置からの通知に基づいて特定する特定工程と、
前記特定されたパケットに対応する第１の動画フレームよりも後の第２の動画フレームの動画データのうち、他の動画フレームを参照せずに復号可能な画面内符号化方式で符号化する動画データと、前記他の動画フレームを参照することで復号可能な予測符号化方式で符号化する動画データとを、前記特定されたパケットに応じて決定する決定工程とを有することを特徴とする制御方法。
【請求項１０】
動画データを符号化してパケットを生成する生成工程と、
前記生成されたパケットを受信装置へ送信する送信工程と、
前記送信されたパケットのうち、前記受信装置が正常に受信しなかったパケットを前記受信装置からの通知に基づいて特定する特定工程と、
前記特定されたパケットに対応する第１の動画フレームよりも後の第２の動画フレームの動画データのうち、他の動画フレームを参照せずに復号可能な画面内符号化方式で符号化する動画データと、前記他の動画フレームを参照することで復号可能な予測符号化方式で符号化する動画データとを、前記特定されたパケットに応じて決定する決定工程とをコンピュータに実行させるためのプログラム。
【手続補正２】
【補正対象書類名】明細書
【補正対象項目名】発明の名称
【補正方法】変更
【補正の内容】
【発明の名称】送信装置、送信装置の制御方法、及びプログラム
【手続補正３】
【補正対象書類名】明細書
【補正対象項目名】０００１
【補正方法】変更
【補正の内容】
【０００１】
本発明は、送信装置、送信装置の制御方法、及びプログラムに関し、詳しくは符号化された動画像コンテンツに係るデータ送信技術に関する。
【手続補正４】
【補正対象書類名】明細書
【補正対象項目名】０００９
【補正方法】変更
【補正の内容】
【０００９】
本発明の送信装置は、動画データを符号化してパケットを生成する生成手段と、前記生成されたパケットを受信装置へ送信する送信手段と、前記送信されたパケットのうち、前記受信装置が正常に受信しなかったパケットを前記受信装置からの通知に基づいて特定する特定手段と、前記特定されたパケットに対応する第１の動画フレームよりも後の第２の動画フレームの動画データのうち、他の動画フレームを参照せずに復号可能な画面内符号化方式で符号化する動画データと、前記他の動画フレームを参照することで復号可能な予測符号化方式で符号化する動画データとを、前記特定されたパケットに応じて決定する決定手段とを有することを特徴とする。
本発明の送信装置の制御方法は、動画データを符号化してパケットを生成する生成工程と、前記生成されたパケットを受信装置へ送信する送信工程と、前記送信されたパケットのうち、前記受信装置が正常に受信しなかったパケットを前記受信装置からの通知に基づいて特定する特定工程と、前記特定されたパケットに対応する第１の動画フレームよりも後の第２の動画フレームの動画データのうち、他の動画フレームを参照せずに復号可能な画面内符号化方式で符号化する動画データと、前記他の動画フレームを参照することで復号可能な予測符号化方式で符号化する動画データとを、前記特定されたパケットに応じて決定する決定工程とを有することを特徴とする。
本発明のプログラムは、動画データを符号化してパケットを生成する生成工程と、前記生成されたパケットを受信装置へ送信する送信工程と、前記送信されたパケットのうち、前記受信装置が正常に受信しなかったパケットを前記受信装置からの通知に基づいて特定する特定工程と、前記特定されたパケットに対応する第１の動画フレームよりも後の第２の動画フレームの動画データのうち、他の動画フレームを参照せずに復号可能な画面内符号化方式で符号化する動画データと、前記他の動画フレームを参照することで復号可能な予測符号化方式で符号化する動画データとを、前記特定されたパケットに応じて決定する決定工程とをコンピュータに実行させることを特徴とする。
【手続補正５】
【補正対象書類名】明細書
【補正対象項目名】００１０
【補正方法】変更
【補正の内容】
【００１０】
本発明によれば、動画データを符号化し生成されたパケットのうち、受信装置で正常に受信されなかったパケットが特定され、特定されたパケットに対応する動画フレームよりも後の動画フレームの動画データのうち、画面内符号化方式で符号化する動画データと予測符号化方式で符号化する動画データとを特定されたパケットに応じて決定される。これにより、動画データに係るパケットの送受信でエラーが発生した場合に、符号量を大幅に変動させずにエラーが伝搬するフレームの数を低減することができる。